(57)【要約】【課題】法線調整機構を具えたディスク記録又は再生装置に於いて、スムーズにラジアル調整でき、かつ法線調整時にガイド軸の高さを変化させない簡素な構成を提供する。【解決手段】ディスク記録又は再生装置は、ピックアップ2を案内する第１ガイド軸6を、ディスクＤの中心とレンズ21の夫々の中心を結ぶ仮想線Ｌに対して平行に設定する法線調整機構5を具えている。ガイド軸6は、ピックアップ2の移動方向を含みシャーシ1面に略直交した面内にて傾き調整可能である。ガイド軸6は法線調整機構5を構成する調整ネジ50、及びガイド軸6の傾き調整時の傾き支点Ｐに対して、１つのネジリバネ8にて押圧されている。【選択図】図３
2006260616.tif 000002
【特許請求の範囲】
【請求項１】
ピックアップ(２)を案内するガイド軸(６)を、ディスクＤの中心とピックアップ(２)のレンズ(21)の中心を結ぶ仮想線Ｌに対して平行に設定する法線調整機構(５)を具えたディスク記録又は再生装置に於いて、
ガイド軸(６)は、ピックアップ(２)の移動方向を含みシャーシ(１)面に略直交した面内にて傾き調整可能であり、
ガイド軸(６)は法線調整機構(５)を構成する調整部材、及びガイド軸(６)の傾き調整時の傾き支点に対して、１つのバネ体にて押圧されていることを特徴とするディスク記録又は再生装置。
【請求項２】
バネ体はガイド軸(６)に嵌まったネジリバネ(８)であり、調整部材はシャーシ(１)の下側から螺合し、ガイド軸(６)の側部に接するテーパ面(51)を具えた調整ネジ(50)である請求項１に記載のディスク記録又は再生装置。
【発明の詳細な説明】
【技術分野】
【０００１】
本発明は、ディスクにビームを発するピックアップを具えたディスク記録又は再生装置に関する。
【背景技術】
【０００２】
図５は、従来のディスク記録又は再生装置の平面図である。シャーシ(１)上には、ディスクＤを回転させるターンテーブル(４)が設けられ、レンズ(21)を具えたピックアップ(２)がターンテーブル(４)に接近離間可能に配備されている。レンズ(21)からはディスクＤに向けてビームが発射される。ピックアップ(２)の両端部は、シャーシ(１)上に架けられた第１、第２ガイド軸(６)(60)に摺動自在に嵌まり、ピックアップ(２)はギア列(22)を介してモータ(Ｍ)駆動される。ピックアップ(２)は、本来ディスクＤの中心とレンズ(21)の中心を結ぶ仮想線Ｌに平行に移動する。ピックアップ(２)は、第１ガイド軸(６)に移動を案内され、第２ガイド軸(60)には余裕を持って嵌まる。
第１ガイド軸(６)のシャーシ(１)への取付けガタ等により、レンズ(21)が仮想線Ｌに沿って正確に移動しない、所謂法線ズレを生じることがある。かかる法線ズレを生じると、トラッキング制御に用いるサブビームに位相ズレが生じ、トラッキングエラー信号の振幅が小さくなる。第１ガイド軸(６)とターンテーブル(４)のシャーシ(１)上への取付け精度は厳しく管理されているが、特に近年、信号の高密度記録に伴って、法線ズレに対する要求は厳しくなっている。法線ズレを生じると、信号の記録及び再生の品位が低下するから、ピックアップ(２)を案内する第１ガイド軸(６)を仮想線Ｌに対して平行に設定する法線調整機構(５)が、以前から提案されている(例えば、特許文献１参照)。
【０００３】
これは、図６に示すように、ガイド軸(６)の一端部を、シャーシ(１)に取り付けたブラケット(３)にて支持する。ブラケット(３)は合成樹脂のような弾性変形可能な材料から形成され、シャーシ(１)にビス(34)止めされる取付板(30)の中央部から支持片(31)を上向きに突出している。該支持片(31)の上端部に第１ガイド軸(６)が嵌まる丸孔(33)を開設しており、支持片(31)は第１ガイド軸(６)の長手方向に沿って所定の厚みを有して、第１ガイド軸(６)を保持している。取付板(30)の下面には、内側に向かって下向きに延びた斜面(32)が形成され、該斜面(32)の下端Ａは第１ガイド軸(６)の中心を通ってシャーシ(１)に垂直な線上に位置する。該斜面(32)には調整ビス(50)がシャーシ(１)の下側から螺合する。調整ビス(50)の頭部はシャーシ(１)の裏面に接している。
調整時は、調整ビス(50)を回転させる。調整ビス(50)の回転に従って、取付板(30)と調整ビス(50)の螺合部が上下に移動し、斜面(32)が点Ａを中心として距離Ｍだけ傾動する。第１ガイド軸(６)は図５に示す仮想線Ｌに対して略平行となる位置に設定される。
【０００４】
【特許文献１】特許第３４９０９３７号公報
【発明の開示】
【発明が解決しようとする課題】
【０００５】
図７は、ディスクＤの裏面図である。ディスクＤの信号面には、円周方向に沿って複数のピット(73)が凹設され、該ピット(73)にビームを照射して、信号を再生する。近年では、信号が高密度記録されており、ディスク半径方向のピット(73)(73)の間隔Ｈが狭い。
この為、レンズ(21)からのビームがディスクＤの信号面に対して僅かに傾くと、誤ったピット(73)をビームが照射し、信号を正しく再生できない虞れがある。そこで、斯種ディスク記録又は再生装置では、図８に示すように、ピックアップ(２)の移動方向を含みシャーシ(１)面に略直交した面内にて、矢印Ｘ方向に第１ガイド軸(６)を傾け、ピックアップ (２)の傾きを微調整する所謂ラジアル調整も行われる。これには、種々の構成が考えられるが、一例として第１ガイド軸(６)を下向きにバネ(62)付勢し、シャーシ(１)の下側から調整ネジ(61)を螺合する構成が考えられる。
しかし、図８に示す装置では、第１ガイド軸(６)が厚みを帯びたブラケット(３)に嵌まっているため、傾き調整がしにくい。また、図６に示す法線調整機構(５)では、調整時に第１ガイド軸(６)の高さが変わる虞れがある。第１ガイド軸(６)の高さが変われば、ディスクＤに照射するビームが正しく合焦しない、ビームの反射出力が変わる等の虞れがあるから、法線調整時に第１ガイド軸(６)の高さが変わることは避けるべきである。
本発明の目的は、法線調整機構を具えたディスク記録又は再生装置に於いて、スムーズにラジアル調整でき、かつ法線調整時にガイド軸の高さを変化させない簡素な構成を提供することにある。
【課題を解決するための手段】
【０００６】
ピックアップ(２)を案内するガイド軸(６)を、ディスクＤの中心とレンズ(21)の中心を結ぶ仮想線Ｌに対して平行に設定する法線調整機構(５)を具えたディスク記録又は再生装置に於いて、
ガイド軸(６)は、ピックアップ(２)の移動方向を含みシャーシ(１)面に略直交した面内にて傾き調整可能であり、
ガイド軸(６)は法線調整機構(５)を構成する調整部材、及びガイド軸(６)の傾き調整時の傾き支点に対して、１つのバネ体にて押圧されている。
【発明の効果】
【０００７】
１．ガイド軸(６)は法線調整機構(５)を構成する調整部材、及びガイド軸(６)の傾き調整時の傾き支点に対して、１つのバネ体にて押圧されている。従って、構成部品点数が少なく、構成が簡素である。
２．ガイド軸(６)は、傾き調整時の傾き支点に対して、バネ体にて押圧されている。即ち、ガイド軸(６)は、該支点を中心として、傾き調整される。従って、従来のように、ガイド軸(６)が厚みを帯びたブラケット(３)に保持されておらず、スムーズに傾き調整(ラジアル調整)ができる。
３．ガイド軸(６)は法線調整機構(５)の調整部材、及びガイド軸(６)の傾き支点に対して、バネ体にて常に押圧されている。従って、法線調整時にも、ガイド軸(６)は傾き支点に押圧されている。これにより、法線調整時にガイド軸(６)の高さは変化しない。
【発明を実施するための最良の形態】
【０００８】
以下に、本発明の一実施例を、図を用いて説明する。
図１は、本例に係わるディスク記録又は再生装置の斜視図であり、図２は、図１を矢印Ｃで示す側方から見た側面図である。従来と同様に、金属板からなるシャーシ(１)上には、ディスクＤを回転させるターンテーブル(４)が設けられ、レンズ(21)を具えたピックアップ(２)がターンテーブル(４)に接近離間可能に配備されている。レンズ(21)からはディスクＤに向けてビームが発射される。ピックアップ(２)の両端部は、シャーシ(１)の開口(10)上に架けられた第１、第２ガイド軸(６)(60)に摺動自在に嵌まり、第１ガイド軸(６)に摺動を案内され、第２ガイド軸(60)に余裕を持って嵌まる。ピックアップ(２)は、本来ディスクＤの中心とレンズ(21)の夫々の中心を結ぶ仮想線Ｌ上を移動する。
【０００９】
第１ガイド軸(６)の一端部及び第２ガイド軸(60)の両端部は、シャーシ(１)を切り起こして形成されたブラケット(12)に昇降可能に嵌まる。ピックアップ(２)はギア列を介してモータ駆動されるが、ギア列及びモータは図５に示す従来の構成と同じであるから図示しない。
また、図２に示すように、第１ガイド軸(６)の一端部下側には、傾き調節ネジ(61)がシャーシ(１)に螺合しており、該傾き調節ネジ(61)を調節することにより、ラジアル調整が行われる。即ち、前記の如く、第１ガイド軸(６)はピックアップ(２)の移動方向を含みシャーシ(１)面に略直交した面内にて、矢印Ｘ方向に傾き、ピックアップ(２)の傾きが微調整される。
【００１０】
第１ガイド軸(６)の他端部近傍には、ネジリバネ(８)の巻径部が嵌まり、シャーシ(１)上にて該ネジリバネ(８)の近傍には、シャーシ(１)を切り起こして形成された引掛け片(13)が設けられている。該引掛け片(13)にはネジリバネ(８)の片方の脚片(80)が引掛かる。図１に示すように、ネジリバネ(８)の他方の脚片(81)は、シャーシ(１)の下面に引掛かる。該ネジリバネ(８)によって第１ガイド軸(６)は内側下向きに付勢され、シャーシ(１)上にて該第１ガイド軸(６)の内側には、第１ガイド軸(６)の側部が接する調整ネジ(50)がシャーシ(１)の下側から螺合している。
【００１１】
図３は、図１の調整ネジ(50)をＢ方向から見た拡大正面図であり、図４は、調整ネジ(50)及び引掛け片(13)の拡大平面図である。ネジリバネ(８)の脚片(80)は、引掛け片(13)に回り込んでおり、容易に外れない。第１ガイド軸(６)の下端は、シャーシ(１)上面から突出した突軸(11)の上面に接し、第１ガイド軸(６)と突軸(11)の上面との接点Ｐが、第１ガイド軸(６)のラジアル調整時の傾き支点となる。
調整ネジ(50)の上端部は、上向きに広がったテーパ面(51)を形成し、第１ガイド軸(６)の側部は該テーパ面(51)に接する。テーパ面(51)は下向きに広がってもよい。前記の如く、第１ガイド軸(６)はネジリバネ(８)によって内側下向きに付勢されており、該付勢力をＦとすると、第１ガイド軸(６)は該付勢力の水平方向の分力Ｆ１にてテーパ面(51)に押圧され、垂直方向の分力Ｆ２にて突軸(11)の上面に押圧される。
シャーシ(１)の下側から調整ネジ(50)を回転させると、テーパ面(51)が上下動するから、該テーパ面(51)に押圧された第１ガイド軸(６)がシャーシ(１)上面に平行で、ピックアップ(２)の移動方向に直交する方向、即ち、図３の矢印Ｙ方向に移動する。これにより、法線ズレが調整され、第１ガイド軸(６)は図１に示す仮想線Ｌに対して略平行となる位置に設定される。即ち、調整ネジ(50)は法線調整機構(５)を構成する調整部材である。
【００１２】
ネジリバネ(８)によって、第１ガイド軸(６)の下端が突軸(11)の上面に常に付勢されているから、法線調整時に、第１ガイド軸(６)の高さはズレない。
また、第１ガイド軸(６)は、ラジアル調整時の傾き支点Ｐに対して、ネジリバネ(８)にて押圧されている。即ち、第１ガイド軸(６)は、該支点Ｐを中心として、傾き調整される。従って、従来のように、第１ガイド軸(６)が厚みを帯びたブラケット(３)に保持されておらず、スムーズにラジアル調整ができる。
更に、第１ガイド軸(６)は法線調整機構(５)を構成する調整ネジ(50)、及び第１ガイド軸(６)の傾き調整(ラジアル調整)時の傾き支点Ｐに対して、１つのネジリバネ(８)にて押圧されている。従って、構成部品点数が少なく、構成が簡素である。
斯種法線調整機構(５)には、ターンテーブル(４)とピックアップ(２)を別々のシャーシに設け、２枚のシャーシの相対位置を調整するものもある。しかし、これでは構成部品点数が多くて、構成が複雑となる。
【００１３】
尚、上記例では第１ガイド軸(６)を調整ネジ(50)及び傾き支点Ｐにネジリバネ(８)にて押圧しているが、ネジリバネ(８)に代えて、引張りバネや板バネでもよい。
また、法線調整は、基準信号が記録されたディスクを再生し、トラッキングエラー信号を確認しながら行う。即ち、ディスクＤがターンテーブル(４)に載置された状態で、調整ネジ(50)を回転させる必要があるから、調整ネジ(50)を回転させる治具がディスクの邪魔にならないように、シャーシ(１)の下側から調整ネジ(50)を回転させる構成としている。
【００１４】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００１５】
【図１】ディスク記録又は再生装置の斜視図である。
【図２】図１を矢印Ｃで示す側方から見た側面図である。
【図３】図１の調整ネジをＢ方向から見た拡大正面図である。
【図４】調整ネジ及び引掛け片の拡大平面図である。
【図５】従来のディスク記録又は再生装置の平面図である。
【図６】従来の法線調整機構の正面図である。
【図７】ディスクＤの裏面図である。
【図８】従来の傾き調整(ラジアル調整)機構の側面図である。
【符号の説明】
【００１６】
(１)  シャーシ
(２)  ピックアップ
(５)  法線調整機構
(６)  第１ガイド軸
(８)  ネジリバネ
(50)  調整ネジ
(51)  テーパ面
(60)  第２ガイド軸
【図１】
2006260616.tif 000003
【図２】
2006260616.tif 000004
【図３】
2006260616.tif 000005
【図４】
2006260616.tif 000006
【図５】
2006260616.tif 000007
【図６】
2006260616.tif 000008
【図７】
2006260616.tif 000009
【図８】
2006260616.tif 000010